(57)【要約】      （修正有）【課題】ソレノイド本体と、ソレノイド本体に接続された弁体カートリッジとを備える改良ダイヤフラムバルブを提供する。【解決手段】ダイヤフラムバルブ２０は、コイルおよび磁極片を有するソレノイド本体２６を備える。電機子は、ソレノイド本体２６内を、長手軸に沿って、通電位置と非通電位置との間を摺動する。弁体カートリッジ２４は、ソレノイド本体２６に接続される。バルブ部材は、電機子に接続され、電機子が移動すると弁体カートリッジ２４内を摺動する。付勢部材は、常態では、電機子を非通電位置に向かって付勢するように作用する。ダイヤフラムは、弁体カートリッジ２４から内側にバルブ部材に向かって延出し、電機子とバルブ部材との間に収容される。ダイヤフラム支持スリーブは、ダイヤフラムの少なくとも一部と当接し支持する支持スリーブフランジと、を備える。【選択図】図１
2019060488.tif 000002
【特許請求の範囲】
【請求項１】
ダイヤフラムバルブであって、
内部に、コイルおよび磁極片を有するソレノイド本体と、
前記ソレノイド本体に接続される弁体カートリッジと、
前記ソレノイド本体内に摺動可能に配置され、長手軸に沿って、通電位置と非通電位置との間を移動する電機子と、
前記弁体カートリッジ内に摺動可能に配置され、前記電機子に接続され一緒に移動するバルブ部材と、前記ソレノイド本体内に配置され、常態では、前記電機子を前記非通電位置に向かって付勢するように作用する付勢部材と、
前記弁体カートリッジから内側に延出し、かつ、前記電機子および前記バルブ部材の前記長手軸に沿った移動に応じて湾曲するように、前記電機子と前記バルブ部材との間に収容されるダイヤフラムと、
スリーブキャビティを形成する支持スリーブ壁部と、内側に延出し前記支持スリーブ壁部に対して横向きである支持スリーブフランジと、を有するダイヤフラム支持スリーブと、を備え、 
前記スリーブキャビティは、前記電機子の少なくとも一部を収容し、 
前記支持スリーブフランジは、前記ダイヤフラムの少なくとも一部と当接し支持する
ことを特徴とするダイヤフラムバルブ。
【請求項２】
請求項１のダイヤフラムバルブにおいて、前記付勢部材は、前記電機子と前記支持スリーブ壁部との間の前記ダイヤフラム支持スリーブの前記スリーブキャビティ内に配置される
ことを特徴とするダイヤフラムバルブ。
【請求項３】
請求項２のダイヤフラムバルブにおいて、前記電機子は、前記支持スリーブ壁部に向けて外側に延出する付勢部材着座部を有し、前記付勢部材は、前記電機子の前記付勢部材着座部と当接する第１付勢部材端部を有する
ことを特徴とするダイヤフラムバルブ。
【請求項４】
請求項３に記載のダイヤフラムバルブにおいて、
前記ソレノイド本体に配置され、前記コイルを支持し、前記磁極片の少なくとも一部および前記電機子の少なくとも一部を内部に摺動可能に収容するボビンと、 
電機子スリーブ壁部と電機子スリーブフランジとを有する電機子スリーブと、を備え、
前記電機子スリーブ壁部は、前記ボビンと前記電機子の少なくとも一部との間に配置され、
前記電機子スリーブフランジは、前記電機子スリーブ壁部から前記ソレノイド本体に向かって外側に延出し、
前記付勢部材は、前記電機子スリーブフランジと当接する第２付勢部材端部を有する
ことを特徴とするダイヤフラムバルブ。
【請求項５】
請求項４に記載のダイヤフラムバルブにおいて、
前記支持スリーブ壁部と前記電機子スリーブフランジとの間に配置され、前記支持スリーブ壁部と前記電機子スリーブフランジとに当接するスペーサシールをさらに備える
ことを特徴とするダイヤフラムバルブ。
【請求項６】
請求項１に記載のダイヤフラムバルブにおいて、 
前記ダイヤフラムは、前記弁体カートリッジと前記ダイヤフラム支持スリーブとの間に収容され、かつ、前記ダイヤフラムバルブ内に前記ダイヤフラムを固定する外周リップを備える
ことを特徴とするダイヤフラムバルブ。
【請求項７】
請求項６に記載のダイヤフラムバルブにおいて、 
前記ダイヤフラムの前記外周リップは、傾斜形状の断面を有する
ことを特徴とするダイヤフラムバルブ。
【請求項８】
請求項１に記載のダイヤフラムバルブにおいて、 
前記弁体カートリッジは、入口と、出口と、前記入口および前記出口の間の弁座と、を少なくとも備え、
前記バルブ部材は、バルブ閉位置で前記弁座に当接し、バルブ開位置で前記弁座から離れる弁座係合面を有する
ことを特徴とするダイヤフラムバルブ。
【請求項９】
請求項８に記載のダイヤフラムバルブにおいて、 
前記弁体カートリッジは、ピストン穴を有し、前記バルブ部材は、前記ピストン穴内に摺動可能に収容されるピストンを備え、
前記入口は断面積を有し、 
前記ピストンは、前記入口の前記断面積と等しいピストン表面積を有し、圧力均衡状態を形成する
ことを特徴とするダイヤフラムバルブ。
【請求項１０】
請求項１に記載のダイヤフラムバルブにおいて、 
前記ダイヤフラム支持スリーブは、前記弁体カートリッジと螺合する
ことを特徴とするダイヤフラムバルブ。
【請求項１１】
請求項１に記載のダイヤフラムバルブにおいて、 
前記ダイヤフラムは、前記電機子が前記通電位置または前記非通電位置の一方にある場合、前記長手軸に対して横向きであるダイヤフラム面内で延出する
ことを特徴とするダイヤフラムバルブ。
【請求項１２】
請求項１に記載のダイヤフラムバルブにおいて、
前記ダイヤフラムを前記電機子と前記バルブ部材との間で挟持固定可能とする螺合部を、前記電機子と前記バルブ部材との間にさらに備える
ことを特徴とするダイヤフラムバルブ。
【請求項１３】
請求項１に記載のダイヤフラムバルブにおいて、 
前記磁極片は、前記ソレノイド本体内で雌ねじと係合し、かつ、前記ソレノイド本体に対して前記磁極片を回転させることにより前記磁極片の軸方向位置を選択可能とするねじ付き端部を備える
ことを特徴とするダイヤフラムバルブ。
【請求項１４】
ダイヤフラムバルブであって、
内部に、コイルおよび磁極片を有するソレノイド本体と、
前記ソレノイド本体に接続される弁体カートリッジと、
前記ソレノイド本体内に摺動可能に配置され、長手軸に沿って、通電位置と非通電位置との間を移動する電機子と、
前記弁体カートリッジ内に摺動可能に配置され、前記電機子に接続され共に移動するバルブ部材と、 
前記電機子周りに延出し、常態では、前記電機子を前記非通電位置に向かって付勢するように作用する付勢部材と、
前記弁体カートリッジから径方向内側に延出し、前記電機子と前記バルブ部材との間に収容されるダイヤフラムと、
支持スリーブ壁部および支持スリーブフランジを有するダイヤフラム支持スリーブと、を備え、
前記支持スリーブ壁部は、前記付勢部材の周りに環状に延出し、
前記支持スリーブフランジは、前記ダイヤフラムの少なくとも一部に当接し支持するように、前記支持スリーブ壁部から径方向内側に延出する
ことを特徴とするダイヤフラムバルブ。
【請求項１５】
請求項１４に記載のダイヤフラムバルブにおいて、 
前記電機子は、前記支持スリーブ壁部に向けて径方向外側に延出する付勢部材着座部を有し、
前記付勢部材は、前記電機子の前記付勢部材着座部と当接する第１付勢部材端部を有する
ことを特徴とするダイヤフラムバルブ。
【請求項１６】
請求項１５に記載のダイヤフラムバルブにおいて、
前記ソレノイド本体に配置され、前記コイルを支持し、かつ、前記磁極片の少なくとも一部および前記電機子の少なくとも一部の周りに環状に延出するボビンと、 
電機子スリーブ壁部と電機子スリーブフランジとを有する電機子スリーブとを備え、
前記電機子スリーブ壁部は、前記ボビンと前記電機子の少なくとも一部との間に径方向に配置され、
前記電機子スリーブフランジは、前記電機子スリーブ壁部から前記ソレノイド本体に向かって径方向外側に延出し、
前記付勢部材は、前記電機子スリーブフランジと当接する第２付勢部材端部を有する
ことを特徴とするダイヤフラムバルブ。
【請求項１７】
請求項１６に記載のダイヤフラムバルブにおいて、
前記支持スリーブ壁部と前記電機子スリーブフランジとの間に配置され前記支持スリーブ壁部および前記電機子スリーブフランジに当接し、かつ、前記ダイヤフラム支持スリーブと前記電機子スリーブとの公差を許容するスペーサシールをさらに備える
ことを特徴とするダイヤフラムバルブ。
【請求項１８】
請求項１５に記載のダイヤフラムバルブにおいて、 
前記支持スリーブフランジは、前記電機子の前記付勢部材着座部の径方向内側に延出する
ことを特徴とするダイヤフラムバルブ。
【請求項１９】
請求項１５に記載のダイヤフラムバルブにおいて、 
前記ダイヤフラム支持スリーブは、前記支持スリーブ壁部から径方向外側に延出するねじ付き肩部を備え、 
前記弁体カートリッジは、前記ダイヤフラム支持スリーブの前記ねじ付き肩部と係合する雌ねじを有する
ことを特徴とするダイヤフラムバルブ。
【請求項２０】
ダイヤフラムバルブであって、
マニホールド穴を有するマニホールドと、
前記マニホールド穴に収容される弁体カートリッジと、
前記弁体カートリッジに接続され、かつ、内部にコイルおよび磁極片を有するソレノイド本体と、
前記ソレノイド本体内に摺動可能に配置され、長手軸に沿って、通電位置と非通電位置との間を移動する電機子と、
前記弁体カートリッジ内に摺動可能に配置され、前記電機子に接続され共に移動するバルブ部材と、 
前記ソレノイド本体内に配置され、常態では、前記電機子を前記非通電位置に向かって付勢するように作用する付勢部材と、
前記弁体カートリッジから内側に延出し、かつ、前記電機子および前記バルブ部材の前記長手軸に沿った移動に応じて湾曲するように、前記電機子と前記バルブ部材との間に収容されるダイヤフラムと、
スリーブキャビティを形成する長手方向延出支持スリーブ壁部と、前記長手方向延出支持スリーブ壁部から内側に延出する横向き支持スリーブフランジとを有するダイヤフラム支持スリーブと、を備え、 
前記スリーブキャビティは、前記電機子の少なくとも一部を収容し、 
前記横向き支持スリーブフランジは、前記ダイヤフラムの少なくとも一部と当接し支持する、ことを特徴とするダイヤフラムバルブ。
【発明の詳細な説明】
【技術分野】
【０００１】
本開示は、電磁弁に関し、より詳細には、ダイヤフラムにより密閉される電磁弁に関する。
【背景技術】
【０００２】
本セクションは、本願開示事項に関連する背景情報を提供するが、これは必ずしも先行技術にはあたらない。
【０００３】
電磁弁（例えば、ポペット弁）は、マニホールド中の流体（例えば、圧縮空気）の流れを制御するために使用可能である。このようなマニホールドは、圧縮流体により駆動されるソーター、包装機、フードプロセッサー等の装置の一部であってもよい。これら電磁弁は、何百万ものサイクルにわたり操作される可能性がある。ソレノイドの非通電時、電磁弁を閉位置に保持するために、ばね等の付勢部材が用いられる。また、流体圧力をバルブ内部で均衡させることにより、バルブ部材を閉位置と開位置との間で動かすのに必要なソレノイド力を低減可能であることも、例えば、特許文献１で公知である。  
【０００４】
バルブ部材は、弁体カートリッジ内に摺動可能に配置される。閉位置において、通常、バルブ部材は、付勢部材により、弁体カートリッジの弁座と接触した状態に保持される。開位置において、通常、ソレノイドがバルブ部材を弁座から離す方向に動かし、バルブ部材と弁座との間に隙間を形成する。特許文献２に開示されるように、弁体カートリッジとソレノイドとの間を密閉するために、蛇腹状ダイヤフラムを使用することもできる。このようなダイヤフラムは、バルブ部材の長手方向移動を許容しつつ、汚染物質がソレノイド側に進入するのを防ぐ。
【０００５】
弁体カートリッジは、マニホールドに設けられる穴に収容されるように設計される。マニホールドは、通常、マニホールド穴と流体連結される複数の通路を備える。稼動中、電磁弁は、これら複数の通路間の流体流れを制御する。通常、Ｏ-リングシールが弁体カートリッジの外側に設けられ、弁体カートリッジをマニホールド穴内でシールする。
【先行技術文献】
【特許文献】
【０００６】
【特許文献１】米国特許第４，５９８，７３６号明細書
【特許文献２】米国特許第３，９８５，３３３号明細書
【発明の概要】
【０００７】
本セクションは、開示事項の概略を示すものであり、その範囲全体又はその全ての特徴を包括的に開示するものではない。
【０００８】
本願開示により、ソレノイド本体と、ソレノイド本体に接続された弁体カートリッジとを備える改良ダイヤフラムバルブが提供される。コイル、磁極片および電機子がソレノイド本体内に配置される。電機子は、ソレノイド本体内で、長手軸に沿って、通電位置と非通電位置との間を摺動可能である。バルブ部材も、弁体カートリッジ内に配置される。バルブ部材は、電機子に接続され、電機子が通電位置と非通電位置との間を移動すると、バルブ部材は弁体カートリッジ内を摺動可能である。常態では、電機子を非通電位置に向かって付勢するように作用する付勢部材も、ソレノイド本体内に配置される。ダイヤフラムは、弁体カートリッジから内側にバルブ部材に向かって延出する。ダイヤフラムは、長手軸に沿った電機子およびバルブ部材の移動に応じて湾曲するように、電機子とバルブ部材との間に収容される。
【０００９】
ダイヤフラムバルブは、さらにダイヤフラム支持スリーブを備える。ダイヤフラム支持スリーブは、支持スリーブ壁部および支持スリーブフランジを有する。支持スリーブ壁部は、電機子の少なくとも一部を収容するスリーブキャビティを形成する。支持スリーブフランジは、内側に延出し、支持スリーブ壁部に対して横向きである。支持スリーブフランジは、ダイヤフラムの少なくとも一部と当接し支持する。
【００１０】
さらなる利用分野は、本明細書に示される記載から明らかになるであろう。  
この発明の概要における説明および具体例は説明目的のみを意図したものであり、本開示の範囲を限定することを意図するものではない。
【図面の簡単な説明】
【００１１】
本明細書中で説明される図面は、選択された実施形態の図示目的にすぎず、可能性のある実施の全てを図示するのでなく、本開示の範囲を限定することを意図するものではない。
【図１】本開示にかかる例示的マニホールドおよび例示的ダイヤフラムバルブの側面断面図。
【図２】図１に示される例示的ダイヤフラムバルブの正面斜視図。
【図３】電機子が非通電位置にある場合の、図１に示される例示的ダイヤフラムバルブの側面断面図。
【図４】電機子が通電位置にある場合の、図１に示される例示的ダイヤフラムバルブ側面断面図。
【００１２】
いくつかの図面を通して、対応する参照番号は、対応する部分を示す。
【発明を実施するための形態】
【００１３】
添付の図面を参照して、より詳しく実施形態を説明する。本開示が完全なものとなり、当業者に発明の範囲を完全に伝えるように、実施形態を提示する。本開示の実施形態の完全な理解のために、特定の部品、装置および方法の例示のような具体的詳細が多数記載される。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造及び公知の技術は、詳細に記載されない。
【００１４】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および/または部品の存在を特定する。しかし、1以上の特徴、整数、工程、操作、要素、部品および/または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも理解されるであろう。
【００１５】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言(例えば、「の間に」と「直接の間に」、「隣接して」と「直接隣接して」など)は、同様に解釈されるべきである。本明細書で用いられる際、用語「および/または」は1以上の関連づけられたリスト項目の全ての組み合わせを含む。
【００１６】
第一、第二、第三等の用語が各種要素、部品、領域、層および/または切断面を説明するために本明細書で使用されるが、これらの要素、部品、領域、層および/または切断面はこれらの用語により限定されるものではない。これらの用語は、ある要素、部品、領域、層および/または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および/または切断面は、実施例の教示から逸脱することなく第二要素、部品、領域、層および/または切断面と称されることも可能である。
【００１７】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向かされてもよい(９０度回動または他の向きに)。本明細書で使用される空間関連の記述は適宜解釈される。
【００１８】
図１および図２において、ダイヤフラムバルブ２０がマニホールド２２に設置された例が示される。ダイヤフラムバルブ２０は、長手軸２８に対して同軸上に配置される、弁体カートリッジ２４とソレノイド本体２６を備える。弁体カートリッジ２４は、開口端３０とダイヤフラム収容端部３２との間を長手方向に延出する。ソレノイド本体２６は、電機子収容端部３４と磁極片収容端部３６との間を長手方向に延出する。本明細書において用いられる用語、「長手方向の」「長手方向に」「軸方向の」「軸方向に」は、長手軸２８に沿った、または長手軸２８に平行なことを意味する。弁体カートリッジ２４のダイヤフラム収容端部３２と、ソレノイド本体２６の電機子収容端部３４は、螺合部３８により脱着可能に接続される。マニホールド２２は、マニホールド穴４０を有する。弁体カートリッジ２４は、マニホールド２２のマニホールド穴４０に摺動可能に挿入される。１つ以上のシール部材４２（例えば、Ｏ-リング）が、弁体カートリッジ２４とソレノイド本体２６に作られた１つ以上の円周スロット４４に配置される。シール部材４２は、マニホールド穴４０と当接し、流体シールを形成する。
【００１９】
ソレノイド本体２６は、長手軸２８から径方向外側に延出する、第１つば４６ａおよび第２つば４６ｂを備える。また、ソレノイド本体２６は、マニホールド穴４０と係合し、かつ、ダイヤフラムバルブ２０をマニホールド２２に固定する雄ねじ５０を有する。マニホールド２２は、マニホールド穴４０と流体連結される通路５２ａ、５２ｂを備える。
作動中、ダイヤフラムバルブ２０は、マニホールド２２の通路５２ａ、５２ｂの間の流体（例えば、圧搾空気）の流れを制御する。
【００２０】
さらに図３および図４を参照すると、コイル５４および磁極片５６がソレノイド本体２６に配置される。同様にソレノイド本体２６に配置されるボビン５８が、コイル５４を支持する。電機子６２は、ソレノイド本体２６内に摺動可能に配置され、長手軸２８に沿って、非通電位置（図３）から通電位置（図４）の間を移動する。磁極片５６の少なくとも一部および電機子６２の少なくとも一部が、ボビン５８内に摺動可能に配置される。磁極片５６は、長手軸２８に沿って磁極片５６を貫通する圧力均等化通路６４を備えてもよい。また、磁極片５６は、ソレノイド本体２６の磁極片収容端部３６の雌ねじ６８と係合するねじ付き端部６６を備えてもよい。したがって、磁極片５６の軸方向位置は、ソレノイドに対して磁極片５６を長手軸２８周りに回転させることにより調整可能である。  
【００２１】
磁極片５６は磁極片スリーブ７０内に配置される。磁極片スリーブ７０は、磁極片スリーブ壁部７２および磁極片スリーブフランジ７４を備える。磁極片スリーブ壁部７２は、ボビン５８と磁極片５６の少なくとも一部との間で径方向に配置される。磁極片スリーブフランジ７４は、磁極片スリーブ壁部７２からソレノイド本体２６に向かって、径方向外側に延出する。磁極片５６をソレノイドに対して長手軸２８周りに回転させることにより、磁極片５６の軸方向位置を調整する場合、磁極片スリーブ壁部７２により、磁極片５６と、ボビン５８、コイル５４およびソレノイド本体２６との同軸配置が維持される。
【００２２】
電気カバー７６は、ソレノイド本体２６の磁極片収容端部３６に螺合部７８により脱着可能に接続される。電気カバー７６は、コイル５４に電気的に接続されるプリント回路基板（ＰＣＢ）８２上に複数の電気接触子８０を備える。電気接触子８０は、ダイヤフラムバルブ２０に電気を供給する１本以上の電気リード線８６と接続される電気コネクタ８４と係合するように構成される。 電気カバー７６は、電気コネクタ８４との間にコネクタシール部８８を収容してもよい。ダイヤフラムバルブ２０は、磁極片５６とプリント回路基板８２との間に絶縁体９０を備えてもよい。
【００２３】
図３に示されるように、電機子６２が非通電位置にある場合、磁極片５６と電機子６２との間に隙間９２が設けられる。電機子６２は、ソレノイド本体２６の電機子収容端部３４内の電機子スリーブ９４内に摺動可能に配置される。電機子スリーブ９４は、電機子スリーブ壁部９６および電機子スリーブフランジ９８を有する。電機子スリーブ壁部９６は、ボビン５８と電機子６２の少なくとも一部との間で径方向に配置される。電機子スリーブフランジ９８は、電機子スリーブ壁部９６からソレノイド本体２６に向かって径方向外側に延出する。電機子スリーブ壁部９６により、電機子６２が通電位置と非通電位置との間を摺動する間、電機子６２とボビン５８、コイル５４およびソレノイド本体２６との同軸配置が維持される。他の構成も可能であるが、電機子スリーブ壁部９６は、電機子スリーブフランジ９８と一体に接続されてもよい。電機子６２は、ダイヤフラムバルブ２０の組立中に電機子６２を保持するための１つ以上の平坦部１００を有してもよい。
【００２４】
付勢部材１０２（例えば、コイル状金属圧縮ばね）が、電機子６２の周りに配置される。電機子６２は、ソレノイド本体２６に向かって径方向外側に延出する付勢部材着座部１０４を有する。付勢部材１０２は、電機子６２の付勢部材着座部１０４と当接する第１付勢部材端部１０６と、電機子スリーブフランジ９８と当接する第２付勢部材端部１０８とを有する。付勢部材１０２は、電機子６２を非通電位置に向かって付勢するように作用する付勢力１１０を電機子６２に加える（図３）。
【００２５】
図４に示されるように、コイル５４に通電すると、コイル５４は、磁極片５６側に電機子６２を磁気的に引きつける磁界を形成する。磁界は、付勢部材１０２の付勢力１１０を超える磁力１１２を電機子６２に与え、その結果、電機子６２が通電位置に移動する（図４）。コイル５４に通電している限り、電機子６２は通電位置に保持される。
【００２６】
ダイヤフラムバルブ２０は、弁体カートリッジ２４内に配置されるバルブ部材１１４を有する。電機子６２は、接続部１１６を備える。バルブ部材１１４は、電機子６２の接続部１１６に螺合部１１８で接続される。したがって、バルブ部材１１４は、電機子６２が通電位置と非通電位置の間を移動するに伴い、弁体カートリッジ２４内を摺動する。
【００２７】
ダイヤフラム１２０は、電機子６２の接続部１１６とバルブ部材１１４との間の、弁体カートリッジ２４のダイヤフラム収容端部３２に収容される。より具体的には、電機子６２とバルブ部材１１４との螺合部１１８により、ダイヤフラム１２０が電機子６２の接続部１１６とバルブ部材１１４との間で挟持固定可能となる。ダイヤフラム１２０は、ダイヤフラムバルブ２０に対して空気シールを提供し、流体（例えば、圧縮空気）および汚染物質がソレノイド本体２６に進入するのを防ぐ。ダイヤフラム１２０は、電機子６２が非通電位置にある場合（図３）、長手軸２８に対して横向きであるダイヤフラム面１２２内で、弁体カートリッジ２４から径方向内側に向かって延出する。このことは、ダイヤフラム１２０が略平坦であり、Ｕ字状断面を有する蛇腹状部分を１つ以上有しないことを意味する。ダイヤフラム１２０は、電機子６２が通電位置に移動すると（図４）、ダイヤフラム面１２２から離れる方向に湾曲する。様々な構成や構成材料が可能であるが、ダイヤフラム１２０は、ゴム製であってもよい。
【００２８】
弁体カートリッジ２４の開口端３０は、少なくとも入口１２４および出口１２６を有する。図１に示すように、弁体カートリッジ２４がマニホールド穴４０に設置されると、入口１２４および出口１２６は、マニホールド２２の通路５２ａ、５２ｂと流体連通して配置される。弁座１２８が、入口１２４と出口１２６との間に配置される。弁座１２８は、弁体カートリッジ２４と一体形成されてもよいし、ゴムのような柔らかい材料で作られる別部品であってもよい。バルブ部材１１４は、バルブ閉位置で弁座１２８に当接し（図３）、バルブ開位置で弁座１２８から離れる（図４）弁座係合面１３０を有する。
【００２９】
弁体カートリッジ２４は、またピストン穴１３２も有する。バルブ部材１１４は、ピストン穴１３２内に収容され、かつ、バルブ部材１１４がバルブ開位置とバルブ閉位置との間を移動するに伴い、ピストン穴１３２内を摺動するように構成されたピストン１３４を有する。あるいは、ダイヤフラムバルブ２０は、均圧バルブとして構成されてもよい。入口１２４は断面積を有する。ダイヤフラムバルブ２０が均圧構造を有する場合、ピストン１３４は、入口１２４の断面積と等しいピストン表面積を有する。
【００３０】
図３に示されるバルブ閉位置において、付勢部材１０２の付勢力１１０は、電機子６２を非通電位置まで押し、バルブ部材１１４をバルブ閉方向１３６に押す。バルブ部材１１４の弁座係合面１３０が、付勢部材１０２の付勢力１１０により、弁座１２８と接触した状態に保持される。したがって、ダイヤフラムバルブ２０は非通電の場合、入口１２４と出口１２６との間の流体流れを妨げる。図４に示されるバルブ開位置において、コイル５４に通電すると、付勢部材１０２の付勢力１１０は、磁極片５６を通して作用する磁力１１２に劣り、電機子６２を通電位置に引きつけ、バルブ部材１１４をバルブ開方向１３８に引きつける。ダイヤフラムバルブ２０に通電して、バルブ部材１１４の弁座係合面１３０が弁座１２８から離れると、入口１２４から出口１２６への流路１４０が形成される。
【００３１】
ソレノイド本体２６の電機子収容端部３４は、電機子キャビティ１４２を有する。ダイヤフラム支持スリーブ１４４は、電機子キャビティ１４２内に配置される。ダイヤフラム支持スリーブ１４４は、支持スリーブ壁部１４６および支持スリーブフランジ１４８を有する。支持スリーブ壁部１４６は、長手方向に延出し、略円筒形であり、長手軸２８と同軸上に配置される。支持スリーブ壁部１４６は、電機子６２周りに環状に延出し、かつ、電機子６２と離間配置されて、内部にスリーブキャビティ１５０を形成する。スリーブキャビティ１５０は、電機子６２の少なくとも一部を収容する。付勢部材１０２は、電機子６２と支持スリーブ壁部１４６との間のスリーブキャビティ１５０に径方向に配置される。 支持スリーブフランジ１４８は、支持スリーブ壁部１４６から径方向内側に延出し、長手軸２８に対して横向きである。より具体的には、支持スリーブフランジ１４８は、電機子６２の付勢部材着座部１０４の径方向内側に延出し、支持スリーブフランジ１４８の径方向内側に電機子６２の接続部１１６が配置される。支持スリーブフランジ１４８は、ダイヤフラム１２０の少なくとも一部と当接し支持する。
【００３２】
スペーサシール１５２が、支持スリーブ壁部１４６と電機子スリーブフランジ９８との間に配置され、支持スリーブ壁部１４６と電機子スリーブフランジ９８と当接する。スペーサシール１５２は、ダイヤフラム支持スリーブ１４４と電機子スリーブ９４との間の公差を許容する。ダイヤフラム支持スリーブ１４４は、弁体カートリッジ２４と螺合する。具体的には、ダイヤフラム支持スリーブ１４４は、支持スリーブ壁部１４６から径方向外側に延出するねじ付き肩部１５４を備え、弁体カートリッジ２４は、ダイヤフラム支持スリーブ１４４のねじ付き肩部１５４と係合する雌ねじ１５６を有する。
【００３３】
ダイヤフラム１２０は、外周リップ１５８を備えてもよい。外周リップ１５８は、弁体カートリッジ２４とダイヤフラム支持スリーブ１４４との間に収容され、ダイヤフラムバルブ２０内にダイヤフラム１２０を固定する。図示した例では、ダイヤフラム１２０の外周リップ１５８の断面は、傾斜しているが、他の形状であってもよい。
【００３４】
いくつかの実施形態によれば、弁体カートリッジ２４は、ポリマー材料で作られ、ソレノイド本体２６に脱着可能に螺合される。ポリマー材料は、複数の理由により、弁体カートリッジ２４用に使用される。その理由とは、ダイヤフラムバルブ２０のコストおよび重量を減らすため；弁体カートリッジ２４の複雑な結合構造を、成形作業により、より簡単に製造可能にするため；マニホールド２２内の設置位置において、弁体カートリッジ２４が腐食するのを減らすまたは無くすため；および、コイル５４の作動中、弁体カートリッジ２４への磁界の影響を無くすため、である。また別の実施形態では、弁体カートリッジ２４は金属製である。
【００３５】
実施形態に関する上記記載は、図解および説明の目的で提供される。網羅的または開示事項を限定することを意図しない。特定の実施形態における個々の要素および特徴は、一般的に、その特定の実施形態に限定されるものではなく、適用可能な場合、交換可能であり、たとえ詳細に図示または記載されないとしても、選択された実施形態で使用可能である。同じものが多くの方法で変更されてもよい。そのような変更は本願開示事項からの逸脱とはみなされない。そのような修正は全て本願開示事項の範囲内に含まれることが意図される。
【図１】
2019060488.tif 000003
【図２】
2019060488.tif 000004
【図３】
2019060488.tif 000005
【図４】
2019060488.tif 000006